(57)【特許請求の範囲】
【請求項１】
建造物の壁面に組み込まれ、建造物内に配設された電力線及び情報線の両方に接続される複数のゲート装置と、各々がゲート装置を介して電力線及び情報線に接続され、電力線からの電力の受け取り或いは情報線を介しての情報の受け取り或いは情報線を介しての情報の受け渡しのうち少なくとも何れかを行うことによって所定の機能を発揮する複数の機能モジュールと、電力線及び情報線にゲート装置を介して接続された機能モジュールに着脱可能に接続され、電力線及び情報線にゲート装置を介して接続された複数の機能モジュールのうち少なくとも二つを制御する制御モジュールとを備えることを特徴とする配線システム。
【請求項２】
制御モジュールは、機能モジュールの所定の機能を発揮させることによって機能モジュールに特定の動作を行わせる制御手段を有し、該制御手段によって生成される制御情報を複数の機能モジュールへ送信することを特徴とする請求項１記載の配線システム。
【請求項３】
制御モジュールは複数有り、各制御モジュールは、それぞれ異なる制御手段を有し、それぞれの制御手段によって生成されるそれぞれ異なる制御情報を機能モジュールへ送信し、当該異なる制御情報を受信した機能モジュールは、受信したそれぞれの制御情報に基づいて機能を発揮して特定の動作を行うことを特徴とする請求項２記載の配線システム。
【請求項４】
少なくとも１つの機能モジュールは、他の機能モジュールへ送電及び他の機能モジュールとの間の信号伝送を形成するためのコネクタを有し、他の機能モジュールと着脱可能に接続されることを特徴とする請求項１乃至３のうち何れかに記載の配線システム。
【請求項５】
機能モジュールは、表示手段或いは報知手段或いは操作手段のうち少なくとも何れか１つを有することを特徴とする請求項１乃至４のうち何れかに記載の配線システム。
【請求項６】
制御モジュールは、機能モジュールと非接触にて通信するように構成されていることを特徴とする請求項１乃至５のうち何れかに記載の配線システム。
【請求項７】
ゲート装置は電力路接続口と情報路接続口とを備え、機能モジュールは電力路接続口と情報路接続口に接続可能なコネクタを備え、電力路接続口と情報路接続口にコネクタが接続されることにより、ゲート装置に機能モジュールが接続されることを特徴とする請求項１乃至６の何れかに記載の配線システム。
【請求項８】
電力路接続口と情報路接続口とはモジュール化されて接続口を形成しており、コネクタは接続口に適合するようにモジュール化されていることを特徴とする請求項７に記載の配線システム。
【発明の詳細な説明】
【技術分野】
【０００１】
本発明は、情報と負荷の電力とを同時に送ることができる配線システムに関する。
【背景技術】
【０００２】
端末器を通じて負荷の操作（監視）制御を行うシステムには、端末器へ中央監視装置から複極のベースバンド信号からなる伝送信号を時分割多重によって送り、各端末器では、この伝送信号を利用して情報の授受を行うと共に端末回路部の電源を得るシステムがあった（下記特許文献１参照）。
【０００３】
そしてこのシステムでは、埋め込み型の配線器具用に規格されているスイッチボックスとこれに対応する取付枠とを用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックスに取り付け、残りの片側を壁面に沿わせるように配置し、夫々の取付窓に操作用端末器を取り付けることで、２つの操作用端末器を併設する構成を採用していた。また、取付窓間に設けた導電片を両側の取付窓に設けた操作用端末器のリード片を接触させることで、一方の操作用端末器（スイッチボックス側）から他方の操作用端末器へ信号線を送り配線する構成となっている。
【特許文献１】特許第３１３６００６号公報（段落番号０００４，０００５、００１５、図１、図３７）
【発明の開示】
【発明が解決しようとする課題】
【０００４】
ところで、上述のシステムは、伝送信号により端末器の端末回路部に電力を供給することができるものの、例えば信号線の電流容量等の制限から制御用端末器により制御される負荷への電力供給は、夫々の設置場所において商用電源から供給する構成であった。そのため、２線の信号線を各端末器間で接続するだけでよいため、信号線について省配線化を図ることができるものの、負荷に対する電源線の配置が従前のままであるため、制御用端末器の設置場所が限定されると言った問題があった。
【０００５】
しかも、端末器は監視対象からのデータの取り込みか或いは制御データに基づいた負荷の制御かの機能しかなく、それ自体が独自の機能を持つものではなかった。また、通常のコンセントやスイッチ等については、電力供給のみがなされ、信号線は接続されていなかった。この場合、ユーザが将来的に、例えば、内線通話システムや防災システム、或いは防犯システムなどのような特定の機能を有するシステムを追加、拡張しようとする場合には、それぞれのシステムごとに、別途信号線を配線して所要の端末器を設置しなければならず、配線設置作業が大掛かりとなって手間取るだけでなく、設置後の配線も大変煩雑なものとなってしまう。
【０００６】
更に、例えば、システムを構築した当初は内線通話システムとしておき、後に、防災システムとしての機能を追加するような場合には、既に内線通話システムとして使用している端末器及び負荷とは別の端末器及び負荷が必要であり、これらを各部屋に設置しなければならない。そうすると、一つの部屋に同じ機能（映像機能や鳴動機能等）を有する負荷が複数設置されることなる。
【０００７】
本発明は、上述の点に鑑みて為されたもので、その目的とするところは、制御モジュールを接続するだけで全体としてシステムを形成することができる配線システムを提供することにある。
【課題を解決するための手段】
【０００８】
本発明は、上記課題を解決すべくなされたものであり、本発明に係る配線システムは、建造物の壁面に組み込まれ、建造物内に配設された電力線及び情報線の両方に接続される複数のゲート装置と、各々がゲート装置を介して電力線及び情報線に接続され、電力線からの電力の受け取り或いは情報線を介しての情報の受け取り或いは情報線を介しての情報の受け渡しのうち少なくとも何れかを行うことによって所定の機能を発揮する複数の機能モジュールと、電力線及び情報線にゲート装置を介して接続された機能モジュールに着脱可能に接続され、電力線及び情報線にゲート装置を介して接続された複数の機能モジュールのうち少なくとも二つを制御する制御モジュールとを備えることを特徴とする。
【０００９】
該構成の配線システムにあっては、各ゲート装置は、それぞれ電力線及び情報線の両方に接続されているので、各ゲート装置は、互いに電力線及び情報線にて接続されている。また、各機能モジュールは、各ゲート装置を介して電力線及び情報線に接続されるので、各機能モジュールは、互いに電力線及び情報線にて接続されている。このような機能モジュールに制御モジュールを接続すると、各機能モジュールと制御モジュールとは、電力線及び情報線にて接続されるので、各機能モジュールが、各ゲート装置に接続するだけで機能するように構成されている場合であっても各ゲート装置に接続するだけでは機能しないように構成されている場合であっても、制御モジュールは、機能モジュールのうち少なくとも二つを制御することができる。
【００１０】
特に、制御モジュールは、機能モジュールの所定の機能を発揮させることによって機能モジュールに特定の動作を行わせる制御手段を有し、該制御手段によって生成される制御情報を複数の機能モジュールへ送信することが好ましい。制御手段によって生成される制御情報が複数の機能モジュールへ送信されると、それを受信した各機能モジュールは、制御情報に基づいて、所定の機能を発揮して特定の動作を行う。よって、制御モジュールによる機能モジュールの制御が可能となる。
【００１１】
更に、制御モジュールは複数有り、各制御モジュールは、それぞれ異なる制御手段を有し、それぞれの制御手段によって生成されるそれぞれ異なる制御情報を機能モジュールへ送信し、当該異なる制御情報を受信した機能モジュールは、受信したそれぞれの制御情報に基づいて機能を発揮して特定の動作を行うことを特徴とすることが好ましい。
【００１２】
各制御モジュールがそれぞれ異なる制御情報を機能モジュールへ送信すると、当該異なる制御情報を受信した各機能モジュールは、受信したそれぞれの制御情報に基づいて機能を発揮して特定の動作を行う。よって、各制御モジュールの制御手段に応じて各機能モジュールを動作させることができるので、各制御モジュールの制御手段に応じたシステムを形成することができ、システム拡張が容易になる。
【００１３】
また、少なくとも１つの機能モジュールは、他の機能モジュールへ送電及び他の機能モジュールとの間の信号伝送を形成するためのコネクタを有し、他の機能モジュールと着脱可能に接続されることが好ましい。
【００１４】
更に、機能モジュールは、表示手段或いは報知手段或いは操作手段のうち少なくとも何れか１つを有することが好ましい。
【００１５】
更に、制御モジュールは、機能モジュールと非接触にて通信するように構成されていることが好ましく、制御モジュールと機能モジュールとの間の接触不良を抑制することができ、制御モジュールの制御手段による制御を確実に行うことができる。
【００１６】
また更に、ゲート装置は電力路接続口と情報路接続口とを備え、機能モジュールは電力路接続口と情報路接続口に接続可能なコネクタを備え、電力路接続口と情報路接続口にコネクタが接続されることにより、ゲート装置に機能モジュールが接続されることが好ましい。機能モジュールをどのゲート装置にも接続できるのでレイアウトフリーで施工性に優れた配線システムとすることができる。
【００１７】
更に、電力路接続口と情報路接続口とはモジュール化されて接続口を形成しており、コネクタは接続口に適合するようにモジュール化されていることが好ましく、ゲート装置の電力路接続口と情報路接続口とに対して機能モジュールのコネクタを接続するだけで電力路と情報路とを同時に確保することができる。
【発明の効果】
【００１８】
このように、本発明に係る配線システムにあっては、電力線及び情報線にゲート装置を介して接続された機能モジュールに制御モジュールを接続すると、制御モジュールは、機能モジュールのうち少なくとも二つを制御するので、制御モジュールを接続するだけで全体としてシステムを形成することができるという効果を奏する。
【発明を実施するための最良の形態】
【００１９】
以下、本発明に係る配線システムの一実施形態について図面を参酌しつつ説明する。
本実施形態における配線システム１は、図１に示すように、建造物内の壁面に埋め込み配設しているスイッチボックスＳＢとスイッチボックスＳＢに取り付けられ電力線Ｌ１及び情報線Ｌ２の両方に接続されるゲート装置３とゲート装置３に接続される機能モジュール５と機能モジュール５に接続される制御モジュール８とを備える。
【００２０】
電力線Ｌ１と情報線Ｌ２とは、分電盤２を介して建造物内に配設される。具体的には、電力線Ｌ１は、商用電源ＡＣに接続され分電盤２内の主幹ブレーカＭＢと分岐ブレーカＢＢとを介して建物の天井や側壁や床等を構成する壁内に配線されることによって屋内に引き込まれている。また、情報線Ｌ２は、外部のインターネット網ＮＴに接続されゲートウェイＧＷ（必要に応じてルータ、ハブ）を介して壁内に配線されることによって屋内に引き込まれている。
【００２１】
スイッチボックスＳＢは、図２に示すように、例えばＪＩＳで規格化された大角形の１個モジュール寸法の埋め込み型の配線器具が３個取り付けることができる１連の取付枠４に対応して規格化されたスイッチボックスＳＢである。スイッチボックスＳＢは複数配設され、上部からは分電盤２から配線されてくる電力線Ｌ１及び情報線Ｌ２が導入されている。尚、スイッチボックスＳＢは、室内の天井面やエアコン口等のようなハイポジションＨＰに設けられるものと、壁スイッチ等で推奨される高さ位置（ミドルポジションＭＰ）に設けられるものと、足元付近（ローポジションＬＰ）に設けられるものとに区分される。
【００２２】
取付枠４は、図３に示すように、中央に器具取り付け用の窓孔４ａを備え、この窓孔４ａに後方からゲート装置３の前部を嵌め込み、例えばネジ等によって固定するようになっている。取付枠４は、各スイッチボックスＳＢに対して設けられる。尚、スイッチボックスＳＢを用いず、埋め込み孔を開口した壁パネルに取り付ける場合には、所謂挟み金具で壁パネルを挟持させて取り付けたり木ねじを用いて取り付けたりする。
【００２３】
ゲート装置３は、取付枠４を介してスイッチボックスＳＢに取り付けてられている。よって、ゲート装置３は、複数配設され、ハイポジションＨＰ、ミドルポジションＭＰ、及びローポジションＬＰのそれぞれの位置に適宜設置可能である。ゲート装置３は、図４に示すように、壁内に配線された電力線Ｌ１及び情報線Ｌ２のそれぞれに接続される電力路接続口３１と情報路接続口３２とを有する。具体的には、ゲート装置３の後部（スイッチボックスＳＢの奥壁側）には、電力線Ｌ１及び情報線Ｌ２をそれぞれ接続する上下一対の端子部を上下に２組３３，３４，３３’，３４’並べて配備している。これらの端子部３３，３４，３３’，３４’に電力線Ｌ１と情報線Ｌ２とが接続されることにより、ゲート装置３は、電力線Ｌ１及び情報線Ｌ２の両方に接続される。また、ゲート装置３の前部には、電力線Ｌ１と電気的に接続される接触部を備え且つ前方開口した電力路接続口３１と、情報線Ｌ２と電気的に接続される接触部を備え且つ前方開口した情報路接続口３２とが設けられている。
【００２４】
ここで、電力路接続口３１と情報路接続口３２とは、両者間の間隔及び内部の接触部の配列、開口の形状をモジュール化（定型化或いは規格化）しており、これによって接続部３Ａを構成している。ゲート装置３は、この接続部３ＡがスイッチボックスＳＢの前面開口側に配置されるように取り付けられる。
【００２５】
ゲート装置３に接続される機能モジュール５は、表示手段或いは報知手段或いは操作手段のうち少なくとも何れか１つを有しており、各手段に応じた機能を構成するようモジュール本体５ａの内部に電気回路が構成されている。具体的には、図４に示すように、電力被接触部５１を介して接続される商用電源ＡＣを所定電圧に降下させるとともに周波数を高くし、この高い周波数に変換した低圧交流電源をコア５０１に巻装したコイル５０２に印加するＡＣ／ＡＣコンバータ５０３と、低圧交流電源を整流平滑後、安定した直流電圧からなる内部回路の動作電源＋Ｖを得る直流電源部５０４と、情報被接触部５２を介して接続される情報線Ｌ２を通じて双方向に伝送される情報信号を送受信する送受信部５０５と、情報線Ｌ２を介して受信される情報信号をＥ／Ｏ変換して発光素子ＬＥＤを通じて送出するＥ／Ｏ変換部５０６と、光信号で構成される情報信号を、受光素子ＰＤで受光してＯ／Ｅ変換して送受信部５０５に渡すＯ／Ｅ変換部５０７と、機能モジュール５の機能に対応した機能部５０８と、機能部５０８から送られてくる情報信号をＩ／Ｏインターフェースを通じて取り込み、送信先へ情報信号として送信させる処理を行う機能や、送受信部５０５で受信した情報信号を取り込み、Ｉ／Ｏインターフェースを通じて機能部５０８へ送信する機能を備えた演算処理部５０９とを備えている。
【００２６】
コア５０１及びコイル５０２は、後述する機能モジュール５と連結する制御モジュール８に電力を非接触で供給するための給電手段を構成するトランスの一次側となる電磁結合部を構成するもので、連結する制御モジュール８側に設けたコイル８０２を巻回したコア８０１にコア５０１が磁気結合してトランス作用によりコイル８０２側に低圧交流電源電圧を誘起させて電源供給を行うようになっている。ここで、ＡＣ／ＡＣコンバータ５０３により商用周波数よりも周波数が高い交流電源に変換することで、電磁結合部によるトランス構成の小型化を図っている。そして、直流電源部５０４から内部回路の動作電源＋Ｖを得るようになっている。因みに、図５に示すように、モジュール本体５ａの側面のうち、電磁結合部を構成するコア５０１の先端が近接配置されている領域が磁気結合部Ｘとなっている。
【００２７】
一方、Ｅ／Ｏ変換部５０６の発光素子ＬＥＤは、後述するように、機能モジュール５と隣接する制御モジュール８に、情報信号を光信号により非接触で伝達するためのもので、連結された制御モジュール８側のＯ／Ｅ変換部８０７に設けた受光素子ＰＤに対置される。また、Ｏ／Ｅ変換部５０７の受光素子ＬＥＤは、隣接する制御モジュール８から光信号により伝達されてくる情報信号を受け取るためのもので、連接する制御モジュール８側のＥ／Ｏ変換部８０６の発光素子ＬＥＤに対置される。尚、コア５０１とコイル５０２とからなる電磁結合部は、図４には１組しか示していないが、実際には電気的に並列な２組備える。また、Ｅ／Ｏ変換部５０６の発光素子ＬＥＤ，Ｏ／Ｅ変換部５０７の受光素子ＰＤについても、夫々に別の発光素子ＬＥＤ、受光素子ＰＤを接続しており、モジュール本体５ａの両側において側壁に近接する内部位置に夫々１組ずつ夫々配置している。ここで、図５に示すように、発光素子ＬＥＤの発光部及び受光素子ＰＤの受光部が対向するモジュール本体５ａの側壁部位は、光信号が透過可能なように透明部Ｙとしてある。
【００２８】
尚、モジュール本体５ａの両側では、受光素子ＬＥＤと、発光素子ＰＤとの位置が上、下逆の位置になるように配置され、例えば、右側では受光素子ＬＥＤが上になり発光素子ＰＤが下になるように配置し、左側では、受光素子ＬＥＤが下になり発光素子ＰＤが上になるように配置している。そして、電磁結合部を構成するコア５０１の先端部の配置位置と、受光素子ＬＥＤ及び発光素子ＰＤの配置位置の上下間隔は定型化している。
【００２９】
また、機能モジュール５は、図５に示すように、合成樹脂製で扁平なモジュール本体５ａを備え、その背面部には、ゲート装置３の接続部３Ａに適合するコネクタ５Ａが設けられている。具体的には、コネクタ５Ａは、図４に示すように、機能モジュール５の背面部に電力路接続口３１に嵌合する電力被接触部５１と情報路接続口３２に嵌合する情報被接触部５２とを備えている。尚、コネクタ５Ａは、ゲート装置３の接続部３Ａに対応した形態となるようにモジュール化している。
【００３０】
機能モジュール５は、コネクタ５Ａの電力被接触部５１及び情報被接触部５２をゲート装置３の接続部３Ａの電力路接続口３１及び情報路接続口３２にそれぞれ結合させることによって、ゲート装置３に着脱可能に接続され、スイッチボックスＳＢの前面開口を覆うと共に、周部のフランジをスイッチボックスＳＢの前面開口周辺の壁面に重ねた状態となる。そして、機能モジュール５は、その状態で上下両部の中央にそれぞれ穿孔している取付孔５１０に取り付けねじ（図示せず）を前面部側からそれぞれ挿通させて取付枠４の上下枠に設けたねじ孔４ｃに螺入締結することによって、スイッチボックスＳＢに取付枠４を介して取り付けられる。
【００３１】
また、機能モジュール５のモジュール本体５ａの前面部には、連結用溝部５１１が設けられている。連結用溝部５１１は、図１１に示すように、幅の広い幅広溝５１１ａと幅の狭い幅狭溝５１１ｂとで構成されている。具体的には、幅広溝５１１ａと幅狭溝５１１ｂとは、モジュール本体５ａの幅方向に伸びる溝であり、モジュール本体５ａの上下両端部にそれぞれ設けられる。また、連結用溝部５１１は、幅広溝５１１ａと幅狭溝５１１ｂとを中央の仕切壁５１２で左右に二分するように形成している。このように、機能モジュール５は、後述する制御モジュール８と着脱可能となっている。
【００３２】
尚、図４ではゲート装置３の両接続口３１，３２及び機能モジュール５のコネクタ５Ａの被接続部５１，５２を縦方向で示しているが、実際は横方向になっている。
【００３３】
このように機能モジュール５は、例えば、屋内の各部屋等に配設された複数のゲート装置３にそれぞれ接続されることによって、複数の機能モジュール５が屋内等に散りばめて配置されるのであるが、内部の回路を構成する機能部５０８の構成によって、電力線Ｌ１からの電力の受け取り或いは情報線Ｌ２を介しての情報の受け取り或いは情報線Ｌ２を介しての情報の受け渡しのうち少なくとも何れかを行って所定の機能を発揮する。即ち、機能モジュール５は、機能部５０８の構成によって、表示手段或いは報知手段或いは操作手段のうちの何れかの機能を有する。本実施形態では、まず、報知手段として伝送される情報信号に基づいて音声の入力又は出力のうち少なくとも何れか一方の動作を行う音声モジュール６と、操作手段として伝送される情報信号に基づいて操作部からの操作入力を出力する操作モジュール７とを用いた場合について説明する。尚、一つの機能モジュール５において、例えば報知手段と操作手段とを有するなどのように、複数の手段を有するよう構成してもよい。
【００３４】
音声モジュール６の機能部６０８は、図６に示すように、制御モジュール８の機能部８０８（ＣＰＵ部８０８ａ）から送信される制御情報としての制御信号によって動作が制御され、マイクＭＣにより電気信号に変換された音声信号を変調し、Ｉ／Ｏインターフェースを介して制御モジュール８に送信すると共に、Ｉ／Ｏインターフェースを介して送られてくる音声信号を復調し、スピーカＳＰから出力させるＣＰＵ部６０８ａを備えている。また、音声モジュール６は、図１に示すように、モジュール本体６ａの内部にスピーカＳＰ及びマイクＭＣを収納してあり、モジュール本体６ａの前面には複数個の音孔を貫設してある。
【００３５】
操作モジュール７の機能部７０８は、図７に示すように、制御モジュール８の機能部８０８（ＣＰＵ部８０８ａ）から送信される制御信号によって動作が制御され、通話スイッチＳＷｂ、呼出音量スイッチＳＷｃ及び室内呼スイッチＳＷｄからの操作入力を監視し、操作信号をＩ／Ｏインターフェースを介して制御モジュール８へ送信するＣＰＵ部７０８ａを備えている。そして、この操作モジュール７は、図１に示すように、モジュール本体７ａの前面に通話スイッチＳＷｂ、呼出音量スイッチＳＷｃ及び室内呼スイッチＳＷｄの各操作ボタンを配置してある。
【００３６】
制御モジュール８は、ゲート装置３に接続された機能モジュール５に着脱可能に接続され、機能モジュール５のうち少なくとも二つを制御する。本実施形態では、制御モジュール８は、図８に示すように、コア８０１と、コア８０１に巻装したコイル８０２と、低圧交流電源を整流平滑後、安定した直流電圧からなる内部回路の動作電源＋Ｖを得る直流電源部８０３と、双方向に伝送される情報信号を送受信する送受信部８０５と、情報線Ｌ２を介して受信される情報信号をＥ／Ｏ変換して発光素子ＬＥＤを通じて送出するするＥ／Ｏ変換部８０６と、光信号で構成される情報信号を受光素子ＰＤで受光してＯ／Ｅ変換して情報信号を送受信部８０４に渡すＯ／Ｅ変換部８０７と、Ｏ／Ｅ変換部８０７からの電気信号からなる情報信号を受け取ると共に、電気信号からなる情報信号をＥ／Ｏ変換部８０６へ送り出す情報信号送受信部８０４と、制御手段としての機能部８０８と、機能部８０８から送られてくる情報信号をＩ／Ｏインターフェースを通じて取り込み、送信先へ情報信号として送信させる処理を行う機能や、送受信部８０５で受信した情報信号を取り込み、Ｉ／Ｏインターフェースを通じて機能部８０８へ送信する機能を備えた演算処理部８０９とを備えている。
【００３７】
制御モジュール８の制御手段としての機能部８０８は、機能モジュール５の所定の機能を発揮させることによって機能モジュール５に特定の動作を行わせるものであり、音声モジュール６と操作モジュール７とを連携動作させる動作プログラムを格納している。制御モジュール８は、機能部８０８によって生成される制御情報としての制御信号を適宜音声モジュール６と操作モジュール７へ送信して、音声モジュール６と操作モジュール７とをそれぞれ制御し、それぞれのモジュール６，７を相互に連携させて特定の動作させることができるように構成されている。具体的には、制御モジュール８の機能部８０８は、図９に示すように、音声モジュール６と操作モジュール７とを連携動作させる動作プログラム（例えば、内線通話用のプログラムや防災用のプログラムや防犯用のプログラムなど）が予め格納された例えばＲＯＭなどの記憶部８０８ｂと、記憶部８０８ｂに格納された動作プログラムを実行して複数の機能モジュール５を連携動作させるＣＰＵ部８０８ａとで構成される。
【００３８】
コア８０１及びコイル８０２は、後述するように、制御モジュール８と連結する機能モジュール５に電力を非接触で供給するための給電手段を構成するトランスの一次側となる電磁結合部を構成するもので、連結する機能モジュール５側に設けたコイル５０２を巻回したコア５０１にコア８０１が磁気結合してトランス作用によりコイル５０１側に低圧交流電源電圧を誘起させて電源供給を行うようになっている。また、両電磁結合部のコイル８０２間を接続する線路には、直流電源部８０３を接続し、この直流電源部８０３から内部回路の動作電源＋Ｖを得るようになっている。因みに、図１０（ｂ）及び（ｃ）に示すように、モジュール本体８ａの側面のうち、電磁結合部を構成するコア８０１の先端が近接配置されている領域が磁気結合部Ｘとなっている。
【００３９】
一方、Ｅ／Ｏ変換部８０６の発光素子ＬＥＤは、後述するように、制御モジュール８と隣接する機能モジュール５に、情報信号を光信号により非接触で伝達するためのもので、連結された機能モジュール５側のＯ／Ｅ変換部５０７に設けた受光素子ＰＤに対置される。また、Ｏ／Ｅ変換部８０７の受光素子ＬＥＤは、隣接する機能モジュール５から光信号により伝達されてくる情報信号を受け取るためのもので、連接する機能モジュール５側のＥ／Ｏ変換部５０６の発光素子ＬＥＤに対置される。因みに、図１０（ｂ）及び（ｃ）に示すように、発光素子ＬＥＤの発光部及び受光素子ＰＤの受光部が対向するモジュール本体８ａの側壁部位は、光信号が透過可能なように透明部Ｙとしてある。
【００４０】
ここで、制御モジュール８のモジュール本体８ａの側面に磁気結合部Ｘ及び透明部Ｙが形成される位置は、機能モジュール５の側面の磁気結合部Ｘ及び透明部Ｙの位置と合うように定型化され、制御モジュール８同士を連結させたとき或いは機能モジュール５と制御モジュール８とを連結させたときに対向する側面側の磁気結合部Ｘ，Ｘ同士及び、透明部Ｙ，Ｙ同士が夫々対向するようになっている。つまり、夫々の給電手段の接続口同士、情報信号の伝達手段の接続口同士が接続された状態となる。
【００４１】
尚、モジュール本体８ａの両側では、受光素子ＬＥＤと、発光素子ＰＤとの位置が上、下逆の位置になるように配置され、例えば、右側では受光素子ＬＥＤが上になり発光素子ＰＤが下になるように配置し、左側では、受光素子ＬＥＤが下になり発光素子ＰＤが上になるように配置している。そして、電磁結合部を構成するコア８０１の先端部の配置位置と、受光素子ＬＥＤ及び発光素子ＰＤの配置位置の上下間隔は定型化している。
【００４２】
また、制御モジュール８のモジュール本体８ａの後面は、図１０（ｂ）及び（ｃ）に示すように、平坦な面に形成して壁面に沿わせることができるように構成されている。従って、本実施形態では、制御モジュール８には、ゲート装置３の接続部３Ａに接続することができるコネクタは設けられていない。尚、コネクタを設けて、ゲート装置３に直接接続することができるように構成することもできる。
【００４３】
また、モジュール本体８ａの上下両端部には、幅広溝８１１ａと幅狭溝８１１ｂとで構成される連結用溝部８１１が設けられている。連結用溝部８１１の形状については、機能モジュール５の連結用溝部５１１と同じ形状であるので、その説明を省略する。但し、図１０（ａ）乃至（ｃ）に示すように、制御モジュール８の連結用溝部８１１には、溝の開口を開閉する蓋部８１３が設けられており、連結体２０を装着する場合や外す場合には蓋部８１３を開き、連結体２０の装着状態を保持する場合には蓋部８１３を閉じるように構成されている。これにより、制御モジュール８は、機能モジュール５に着脱可能になっている。
【００４４】
以上のような構成のゲート装置３と機能モジュール５と制御モジュール８とを適宜接続することによって、配線システム１が形成される。具体的には、図４及び図５に示すように、ゲート装置３の接続部３Ａを構成する電力路接続口３１及び情報路接続口３２に機能モジュール５のコネクタ５Ａを構成する電力被接触部５１及び情報被接触部５２をそれぞれ結合する。これにより、機能モジュール５は、ゲート装置３の接続部３Ａを介して電力線Ｌ１及び情報線Ｌ２に接続される。そして、図１に示すように、屋内の各所に配設された複数のゲート装置３の各々に接続された各機能モジュール５同士は、電力線Ｌ１及び情報線Ｌ２により互いに接続された状態となる。
【００４５】
このように、ゲート装置３に機能モジュール５を接続すると、電力路と情報路とを同時に確保することができる。また、ゲート装置３の接続部３Ａと機能モジュール５のコネクタ５Ａとは、互いに適合するようにそれぞれモジュール化しているので、機能モジュール５をどのゲート装置３にも接続でき、レイアウトフリーで施工性に優れた配線システム１とすることができる。
【００４６】
次に、図１１に示すように、機能モジュール５の連結用溝部５１１に、連結体２０の片側半分を仕切壁５１２に当たるまで嵌め込む。そして、連結体２０の残り半分を制御モジュール８の連結用溝部８１１に嵌め込むことにより、機能モジュール５と制御モジュール８とを機械的に接続する。
【００４７】
このようにして各々のモジュール５，８を接続すると、機能モジュール５と制御モジュール８とは、対向する側面側の磁気結合部Ｘ，Ｘ同士及び、透明部Ｙ，Ｙ同士が接続された状態となる。よって、機能モジュール５と制御モジュール８とは、非接触給電及び非接触通信することができる。このように、各モジュール間で非接触給電及び非接触通信すると、接触不良を抑制することができ、電力の伝達や情報信号の授受を確実に行うことができる。
【００４８】
こうして、電力線Ｌ１及び情報線Ｌ２に接続されたゲート装置３の接続部３Ａと機能モジュール５のコネクタ５Ａとが接続され、機能モジュール５と制御モジュール８とが非接触給電及び非接触通信されることにより、制御モジュール８は、電力線Ｌ１から電力を受け取ると共に情報線Ｌ２と情報信号の授受を行うことができるようになる。即ち、機能モジュール５を介して制御モジュール８を情報線Ｌ２に接続すると、制御モジュール８の機能部８０８は、情報線Ｌ２を通じて各ゲート装置３に接続されている各機能モジュール５を制御する。これにより、各機能モジュール５は、相互に関連を持って動作するので、以下のように、制御モジュール８の機能部８０８に格納されている動作プログラムに対応したシステムとしての機能が得られる。
【００４９】
例えば、制御モジュール８の機能部８０８に格納されている動作プログラムが、内線通話用のプログラムである場合、図１に示すように、報知手段を有する機能モジュール５（音声モジュール６）と操作手段を有する機能モジュール５（操作モジュール７）とを準備することにより、内線通話をすることができる。即ち、制御モジュール８の機能部８０８が、報知手段を有する機能モジュール５と操作手段を有する機能モジュール５とをそれぞれ制御して連携動作させることにより、内線通話機能を有する配線システム１が形成される。
【００５０】
この場合、一の操作モジュール７の室内呼ボタンＳＷｄを押操作すると、ＣＰＵ部７０８ａが室内呼スイッチＳＷｄからの操作入力をもとに、別の場所に設置した他の音声モジュール６を鳴動させるための呼出信号を生成し、この呼出信号を制御モジュール８へ送信する。この呼出信号を受信した制御モジュール８の機能部８０８では、ＣＰＵ部８０８ａが呼出音を鳴動させる制御情報としての制御信号を生成して情報線Ｌ２を通じて他の音声モジュール６に送出する。この時、他の音声モジュール６では、機能部６０８を構成するＣＰＵ部６０８ａが、情報線Ｌ２を通じて制御信号を受け取り、この制御信号に基づいてスピーカＳＰから呼出音を発生させることにより音声モジュール６の機能を発揮する。
【００５１】
次に、他の音声モジュール６のスピーカＳＰから発せられた呼出音を聞いた家人が、他の音声モジュール６に対応した他の操作モジュール７の通話スイッチＳＷｂを押操作すると、ＣＰＵ部７０８ａが通話スイッチＳＷｂからの操作入力をもとに、一の操作モジュール７に対応した一の音声モジュール６との間の通話回線を形成するための通話信号を生成し、この通話信号を制御モジュール８へ送信する。この通話信号を受信した制御モジュール８の機能部８０８では、ＣＰＵ部８０８ａが一の音声モジュール６と他の音声モジュール６との間の通話回線を形成するための制御信号を生成して情報線Ｌ２を通じて一の音声モジュール６と他の音声モジュール６に送出することによって、内線通話が可能となる。
【００５２】
尚、操作モジュール７の呼出音量スイッチＳＷｃを押操作すると、ＣＰＵ部７０８ａが、呼出音量スイッチＳＷｃからの操作入力をもとに、呼出音の音量を変化させる操作信号を生成して、この制御モジュール８へ送信する。この時、制御モジュール８では、ＣＰＵ部８０８ａが呼出音の音量を調整する制御信号を生成して、操作モジュール７に対応する音声モジュール６に送出しており、この制御信号を受け取った音声モジュール６では、ＣＰＵ部６０８ａがスピーカＳＰから出力する呼出音の音量を所望の大きさに制御するようになっている。
【００５３】
また、例えば、制御モジュール８の機能部８０８に格納されている動作プログラムが防災用のプログラムである場合には、図１２に示すように、報知手段を有する機能モジュール５（音声モジュール６）と操作手段を有する機能モジュール５（操作モジュール７）と表示手段を有する機能モジュール５（映像モジュール９）とセンサ手段として感知手段を有する機能モジュール５（防災用センサ入力モジュール１０）とを準備することにより、防災設備を形成することができる。即ち、制御モジュール８の機能部８０８が、表示手段を有する機能モジュール５と報知手段を有する機能モジュール５と操作手段を有する機能モジュール５と感知手段を有する機能モジュール５とをそれぞれ制御して連携動作させることにより、防災機能を有する配線システム１が形成される。
【００５４】
ここで、映像モジュール９は、表示手段として伝送される情報信号に基づいて映像の入力又は出力のうち少なくとも何れか一方の動作を行う機能モジュール５である。映像モジュール９の機能部９０８は、図１３に示すように、制御モジュール８の機能部８０８（ＣＰＵ部８０８ａ）から送信される制御信号によって動作が制御され、画面の切替等の操作を行う操作スイッチＳＷａからの操作入力を監視し、操作信号をＩ／Ｏインターフェースを介して制御モジュール８に送信すると共に、Ｉ／Ｏインターフェースを介して送られてくる画像データを伸長復号して液晶表示部ＬＣＤに表示されるＣＰＵ部９０８ａを備えている。この映像モジュール９のモジュール本体９ａは、図１２に示すように、３個のモジュール寸法の器体を幅方向に２個並べた大きさに形成されており、前面の略中央に液晶表示部ＬＣＤを配置すると共に、液晶表示部ＬＣＤの下側に操作スイッチＳＷａの操作ボタンを配置してある。
【００５５】
センサ手段としての防災用センサ入力モジュール１０は、図１２に示すように、そのモジュール本体１０ａが３個モジュール寸法の器体を幅方向に２個並べた大きさに形成されており、前面の略中央に熱又は煙の感知部１０ｂを設けると共に感知部１０ｂの下側に警報停止ボタン１０ｃを設けている。また、防災用センサ入力モジュール１０の機能部１００８は、図１４に示すように、制御モジュール８の機能部８０８（ＣＰＵ部８０８ａ）から送信される制御信号によって動作が制御され、感知部１０ｂ（防災用センサ）からの発報信号及び警報停止ボタン１０ｃの操作入力を監視し、感知部１０ｂから発報信号が入力されるか、又は、警報停止ボタン１０ｃからの操作入力があると、発報信号及び操作信号をＩ／Ｏインターフェースを介して制御モジュール８へ送信するＣＰＵ部１００８ａを備えている。尚、センサ手段としては、防災用センサ入力モジュール１０には限られず、ゲート装置３などに接続しない構成の各種センサを採用することができる。
【００５６】
この場合、防災用センサ入力モジュール１０の感知部１０ｂが火災の発生を検知して発報信号を発生すると、防災用センサ入力モジュール１０の機能部１００８が感知部１０ｂからの発報信号を情報線Ｌ２を通して制御モジュール８へ送信する。制御モジュール８の機能部８０８では、ＣＰＵ部８０８ａが情報線Ｌ２を通じて送信された発報信号を受信すると、警報音を発生させる制御信号を生成して情報線Ｌ２を通して音声モジュール６に出力すると共に火災警報を画面上に表示させる制御信号を生成して映像モジュール９に出力する。この時、音声モジュール６では、機能部６０８が制御モジュール８から情報線Ｌ２に送出された制御信号に基づいて、スピーカＳＰから警報音を発生させることで、家人に火災発生を報知する。また、映像モジュール９では、機能部９０８が制御モジュール８から情報線Ｌ２に送出された制御信号に基づいて、液晶表示部ＬＣＤに火災警報メッセージを表示させることにより映像モジュール９の機能を発揮し、家人に火災発生を報知する。
【００５７】
その後、防災用センサ入力モジュール１０の警報停止ボタン１０ｃが押操作されると、防災用センサ入力モジュール１０の機能部１００８が警報停止ボタン１０ｃの操作信号を情報線Ｌ２を通して制御モジュール８へ送信する。この時、制御モジュール８の機能部８０８では、ＣＰＵ部８０８ａが情報線Ｌ２を通じて送信された操作信号を受信すると、報知動作を停止させる制御信号を情報線Ｌ２を通して音声モジュール６及び映像モジュール９に出力し、音声モジュール６及び映像モジュール９のそれぞれの機能部６０８，９０８により報知動作を停止させるのである。尚、本実施形態では、防災用センサ入力モジュール１０に警報動作を停止させるボタン１０ｃを設けているが、操作モジュール７に警報停止ボタンを設け、この警報停止ボタンの操作に応じて報知動作を停止するようにしてもよい。
【００５８】
また、例えば、制御モジュール８の機能部８０８に格納されている動作プログラムが防犯用のプログラムである場合、図１５に示すように、報知手段を有する機能モジュール５（音声モジュール６）と操作手段を有する機能モジュール５（操作モジュール７）と表示手段を有する機能モジュール５（映像モジュール９）とセンサ手段としてセンサ手段を有する機能モジュール５（防犯用センサ入力モジュール１１）とを準備することにより、防犯設備を形成することができる。即ち、制御モジュール８の機能部８０８が、表示手段を有する機能モジュール５と報知手段を有する機能モジュール５と操作手段を有する機能モジュール５とセンサ手段を有する機能モジュール５とをそれぞれ制御して連携動作させることにより、防犯機能を有する配線システム１が形成される。
【００５９】
センサ手段としての防犯用センサ入力モジュール１１は、図１５に示すように、その本体が３個モジュール寸法の器体を幅方向に２個並べた大きさに形成されており、本体前面の左側には警戒状況を絵文字（ピクトサイン）で表示するサイン表示部１１ｂが配置され、本体前面の右側には警戒の解除又はセットをそれぞれ行うための解除ボタン１１ｃ及びセットボタン１１ｄがそれぞれ配置されている。また、防犯用センサ入力モジュール１１の機能部１１０８は、図１６に示すように、制御モジュール８の機能部８０８（ＣＰＵ部８０８ａ）から送信される制御信号によって動作が制御され、電気錠やクレセント錠の開閉状態を検知するセンサなどからなる防犯センサ１１ｅの発報信号及び解除ボタン１１ｃ、セットボタン１１ｄの操作入力を監視し、防犯センサ１１ｅから発報信号が入力されるか、又は、解除ボタン１１ｃ、セットボタン１１ｄからの操作入力があると、発報信号及び操作信号をＩ／Ｏインターフェースを介して制御モジュール８へ送信するＣＰＵ部１１０８ａを備えている。尚、センサ手段としては、防犯用センサ入力モジュール１１には限られず、ゲート装置３などに接続しない構成の各種防犯センサを採用することができる。
【００６０】
この場合、防犯用センサ入力モジュール１１に接続された防犯センサ１１ｅが侵入などの異常を検知して発報信号を発生すると、防犯用センサ入力モジュール１１の機能部１１０８（ＣＰＵ部１１０８ａ）が防犯センサ１１ｅからの発報信号を情報線Ｌ２を通して制御モジュール８へ送信する。制御モジュール８の機能部８０８では、ＣＰＵ部８０８ａが情報線Ｌ２を通じて送信された発報信号を受信すると、警報音を発生させる制御信号を生成して情報線Ｌ２を通して音声モジュール６に出力すると共に侵入警報などの警報を画面上に表示させる制御信号を生成して情報線Ｌ２を通して映像モジュール９に出力する。この時、音声モジュール６では、機能部６０８が制御モジュール８から情報線Ｌ２を通して送出された制御信号に基づいて、スピーカＳＰから警報音を発生させることで、家人に異常発生を報知する。また、映像モジュール９では、機能部９０８が制御モジュール８から情報線Ｌ２を通して送出された制御信号に基づいて、液晶表示部ＬＣＤに侵入警報などの警報メッセージを表示させることで、家人に異常発生を報知する。
【００６１】
続いて、情報線Ｌ２に接続された制御モジュール８が複数有り、各制御モジュール８の機能部８０８が異なる動作プログラムを有している場合、例えば、図１７に示すように、動作プログラムが防災用のプログラムである制御モジュール８（以下、防災用制御モジュール８という。）と、動作プログラムが防犯用のプログラムである制御モジュール８（以下、防犯用制御モジュール８という。）とが設けられる場合について説明する。尚、図１７に示す配線システム１においては、映像モジュール９をゲート装置３に接続し、映像モジュール９に操作モジュール７を接続している。このとき、映像モジュール９及び操作モジュール７の対向する側面側の磁気結合部Ｘ，Ｘ同士及び透明部Ｙ，Ｙ同士がそれぞれ接続された状態となる。よって、映像モジュール９と操作モジュール７とは、非接触給電及び非接触通信することができる。即ち、機能モジュール５は、ゲート装置３に直接接続する場合だけでなく、ゲート装置３に接続した機能モジュール５に接続することによって、ゲート装置３に接続することもできる。
【００６２】
火災が発生した場合には、防災用センサ入力モジュール１０の感知部１０ｂが火災の発生を検知して発報信号を発生すると、防災用センサ入力モジュール１０の機能部１００８が感知部１０ｂからの発報信号を防災用制御モジュール８へ送信する。防災用制御モジュール８の機能部８０８では、ＣＰＵ部８０８ａが送信された発報信号を受信すると、警報音を発生させる制御信号を生成して情報線Ｌ２を通して音声モジュール６に出力すると共に火災警報を画面上に表示させる制御信号を生成して映像モジュール９に出力する。この時、音声モジュール６では、機能部６０８が防災用制御モジュール８から情報線Ｌ２に送出された制御信号に基づいて、スピーカＳＰから警報音を発生させることで、家人に火災発生を報知する。また、映像モジュール９では、機能部９０８が防災用制御モジュール８から情報線Ｌ２に送出された制御信号に基づいて、液晶表示部ＬＣＤに火災警報メッセージを表示させることで、家人に火災発生を報知する。
【００６３】
その後、防災用センサ入力モジュール１０の警報停止ボタン１０ｃが押操作されると、防災用センサ入力モジュール１０の機能部１００８が警報停止ボタン１０ｃの操作信号を防災用制御モジュール８へ送信する。この時、防災用制御モジュール８の機能部８０８では、ＣＰＵ部８０８ａが送信された操作信号を受信すると、報知動作を停止させる制御信号を情報線Ｌ２を通して音声モジュール６及び映像モジュール９に出力し、音声モジュール６及び映像モジュール９のそれぞれの機能部６０８，９０８により報知動作を停止させるのである。
【００６４】
一方、侵入などの異常が発生した場合には、防犯用センサ入力モジュール１１に接続された防犯センサ１１ｅが侵入などの異常を検知して発報信号を発生し、防犯用センサ入力モジュール１１の機能部１１０８（ＣＰＵ部１１０８ａ）が防犯センサ１１ｅからの発報信号を防犯用制御モジュール８へ送信する。防犯用制御モジュール８の機能部８０８では、ＣＰＵ部８０８ａが送信された発報信号を受信すると、警報音を発生させる制御信号を生成して情報線Ｌ２を通して音声モジュール６に出力すると共に侵入警報などの警報を画面上に表示させる制御信号を生成して情報線Ｌ２を通して映像モジュール９に出力する。この時、音声モジュール６では、機能部６０８が防犯用制御モジュール８から情報線Ｌ２を通して送出された制御信号に基づいて、スピーカＳＰから警報音を発生させることで、家人に異常発生を報知する。また、映像モジュール９では、機能部９０８が防犯用制御モジュール８から情報線Ｌ２を通して送出された制御信号に基づいて、液晶表示部ＬＣＤに侵入警報などの警報メッセージを表示させることで、家人に異常発生を報知する。
【００６５】
以上のような構成の配線システム１にあっては、各ゲート装置３は、それぞれ電力線Ｌ１及び情報線Ｌ２の両方に接続されているので、各ゲート装置３は、互いに電力線Ｌ１及び情報線Ｌ２にて接続されている。また、各機能モジュール５は、各ゲート装置３を介して電力線Ｌ１及び情報線Ｌ２に接続されるので、各機能モジュール５は、互いに電力線Ｌ１及び情報線Ｌ２にて接続されている。このような機能モジュール５に制御モジュール８を接続すると、各機能モジュール５と制御モジュール８とは、電力線Ｌ１及び情報線Ｌ２にて接続されるので、制御モジュール８は、機能モジュール５のうち少なくとも二つを制御することができる。従って、制御モジュールを接続するだけで全体としてシステムを形成することができる。
【００６６】
また、制御モジュール８は、内線通話用や防災設備用等の動作プログラムを格納した機能部８０８を有し、これによって生成される制御信号を各機能モジュール５へ送信することによって、それを受信した各機能モジュール５は、制御信号に基づいて、音声機能、操作機能、映像機能等の機能を発揮して内線通話や防災設備や防犯設備などのように動作プログラムに応じて動作する。
【００６７】
更に、制御モジュール８は、防災用制御モジュール８や防犯用制御モジュール８等複数有り、各制御モジュール８は、それぞれ異なる機能部を８０８有し、それぞれの機能部８０８によって生成されるそれぞれ異なる制御信号を機能モジュールへ送信し、当該異なる制御信号を受信した機能モジュール５は、受信したそれぞれの制御信号に基づいて、音声機能、操作機能、映像機能等の機能を発揮して内線通話や防災設備や防犯設備などとして動作する。従って、各制御モジュール８制御手段に応じて各機能モジュール５を動作させることができるので、各制御モジュール８の制御手段に応じたシステムを形成することができ、システム拡張が容易になる。
【００６８】
また更に、機能モジュール５として、音声モジュール６や操作モジュール７等を、例えば建物内の各部屋に設けておけば、これらの機能モジュール５の何れかに内線通話システムの制御モジュール８を接続するだけで、それぞれの機能モジュール５を、内線通話システムとして機能させることができる。従って、ユーザは、ニーズに応じて、必要な配線システム１の機能に対応した制御モジュール８を準備さえすれば、予め設置されている機能モジュール５を利用して所望の機能を奏する配線システム１を構築することが可能となるのである。また、配線システムの機能として複数の機能を重ねて形成する場合には、一つの部屋に設置されている機能モジュール５（音声モジュール６、操作モジュール７及び映像モジュール９）を、共用して利用することができ、配線システム１の重複を防止し、コストを低減することができる。
【００６９】
尚、本実施形態では、隣接する機能モジュール５同士は、非接触給電及び非接触通信している場合について説明したが、これに限らず、接触給電及び接触通信であってもよい。具体的には、例えば、機能モジュール５のモジュール本体５ａの一側部にゲート装置３の接続部３Ａと同じ形状の接続部を設け、これと対向する他側部に上記接続部と適合するコネクタを設けた場合であってもよい。
【００７０】
更に、本実施形態では、複数の機能モジュール５全体で連携動作してシステムを形成する場合について説明したが、これに限られず、複数の機能モジュール５のうちの一部を連携動作させてシステムを形成してもよい。
【００７１】
また、機能モジュール５は、制御モジュール８が接続されていない場合には、機能しない（動作しない）ように構成することも可能であり、逆に、制御モジュール８が接続されていなくても、機能する（動作する）ように構成することも可能である。
【図面の簡単な説明】
【００７２】
【図１】本発明の一実施形態に係る内線通話用の配線システムを示す構成説明図。
【図２】同配線システムの後方斜視図。
【図３】取付枠の正面図。
【図４】ゲート装置及び機能モジュールを示す構成説明図。
【図５】ゲート装置及び機能モジュールを示す後方斜視図。
【図６】音声モジュールの機能部を示す構成説明図。
【図７】操作モジュールの機能部を示す構成説明図。
【図８】制御モジュールを示す構成説明図。
【図９】制御モジュールの機能部を示す構成説明図。
【図１０】（ａ）は制御モジュールの正面図、（ｂ）は制御モジュールの左側面図、（ｃ）は制御モジュールの右側面図。
【図１１】機能モジュールと制御モジュールの連結の状態を示す斜視図。
【図１２】防災用の配線システムを示す構成説明図。
【図１３】映像モジュールの機能部を示す構成説明図。
【図１４】防災用センサ入力モジュールの機能部を示す構成説明図。
【図１５】防犯用の配線システムを示す構成説明図。
【図１６】防犯用センサ入力モジュールの機能部を示す構成説明図。
【図１７】防災防犯用の配線システムを示す正面図。
【符号の説明】
【００７３】
１…配線システム、２…分電盤、３…ゲート装置、４…取付枠、５…機能モジュール、６…音声モジュール、７…操作モジュール、８…制御モジュール、９…映像モジュール、１０…防災用センサ入力モジュール、１１…防犯用センサ入力モジュール、２０…連結体、ＡＣ…商用電源、ＮＴ…ネットワーク網、Ｌ１…電力線、Ｌ２…情報線、ＳＢ…スイッチボックス、Ｘ…磁気結合部、Ｙ…透明部
【図１】
0004650739.tif 000002
【図２】
0004650739.tif 000003
【図３】
0004650739.tif 000004
【図４】
0004650739.tif 000005
【図５】
0004650739.tif 000006
【図６】
0004650739.tif 000007
【図７】
0004650739.tif 000008
【図８】
0004650739.tif 000009
【図９】
0004650739.tif 000010
【図１０】
0004650739.tif 000011
【図１１】
0004650739.tif 000012
【図１２】
0004650739.tif 000013
【図１３】
0004650739.tif 000014
【図１４】
0004650739.tif 000015
【図１５】
0004650739.tif 000016
【図１６】
0004650739.tif 000017
【図１７】
0004650739.tif 000018